(57)【特許請求の範囲】
【請求項１】
仕切で区画された複数の収容部を有する容器部材と、前記各収容部を個別に開閉する蓋が設けられた蓋部材とを備えた収容ケースにおいて、
前記蓋部材を前記容器部材に連結し、前記蓋部材が前記容器部材の開口部を閉鎖した状態と開放した状態とを形成可能とする開閉ヒンジ部を備え、
前記各蓋を開閉自在に支持する支持ヒンジ部を前記蓋部材に設定するとともに、前記支持ヒンジ部が形成する前記各蓋の回動軸と、前記開閉ヒンジ部が形成する前記蓋部材の回動軸とを異なる方向に延設して、前記各蓋の開放操作方向と前記蓋部材の開放操作方向とを異なる方向に設定したことを特徴とする収容ケース。
【請求項２】
前記蓋部材と前記容器部材とを一体形成するとともに、前記蓋部材と前記容器部材との間に、薄肉の連結ヒンジ部を形成したことを特徴とする請求項１記載の収容ケース。
【発明の詳細な説明】
【技術分野】
【０００１】
本発明は、収容物を分別して収容する収容ケースに関する。
【背景技術】
【０００２】
従来、薬を収容する際には、収容ケースが使用されていた（例えば、特許文献１）。
【０００３】
この収容ケースでは、容器部材の内部が仕切で区切られており、服用する薬を曜日毎に分けて収容できるように構成されている。
【０００４】
また、他のものとしては、容器部材に蓋部材を着脱できる収容ケースが知られている（例えば、特許文献２）。
【０００５】
この収容ケースでは、仕切で区画された容器部材の各収容部を、前記蓋部材に設けられた蓋によって個別に開閉できるように構成されており、各収容部に収容された薬のみを取り出せるように工夫されている。
【０００６】
また、この収容ケースでは、前記容器部材から前記蓋部材を取り外せるように構成されているため、薬収容時には、前記蓋部材を取り外し総ての収容部を開放して薬を収容するといった利用形態がとられている。
【特許文献１】特開２０００−４９２５公報
【特許文献２】意匠登録第９７２３２５号公報
【発明の開示】
【発明が解決しようとする課題】
【０００７】
しかしながら、このような従来の収容ケースにあっては、容器部材と蓋部材とが別体で構成されており、高齢者等においては、取り外した蓋部材を前記容器部材に取り付ける際に、該容器部材への位置合わせに苦労を要した。
【０００８】
これにより、取付作業に手間が掛かり、不便であった。
【０００９】
本発明は、このような従来の課題に鑑みてなされたものであり、利便性の高い収容ケースを提供することを目的とするものである。
【課題を解決するための手段】
【００１０】
前記課題を解決するために本発明の請求項１の収容ケースにあっては、仕切で区画された複数の収容部を有する容器部材と、前記各収容部を個別に開閉する蓋が設けられた蓋部材とを備えた収容ケースにおいて、前記蓋部材を前記容器部材に連結し、前記蓋部材が前記容器部材の開口部を閉鎖した状態と開放した状態とを形成可能とする開閉ヒンジ部を備え、前記各蓋を開閉自在に支持する支持ヒンジ部を前記蓋部材に設定するとともに、前記支持ヒンジ部が形成する前記各蓋の回動軸と、前記開閉ヒンジ部が形成する前記蓋部材の回動軸とを異なる方向に延設して、前記各蓋の開放操作方向と前記蓋部材の開放操作方向とを異なる方向に設定した。
【００１１】
すなわち、容器部材に設けられた各収容部へ薬等の収容物を収容する際には、前記容器部材に連結された蓋部材を、開閉ヒンジ部を中心に回動し、前記容器部材の開口部を開放する。これにより、仕切で区画された容器部材内の各収容部を同時に開放することができ、各収容部への収容物の収容が容易に行われる。
【００１２】
そして、各収容部への収容物の収納を終えた際には、前記容器部材の開口部を前記蓋部材で閉鎖する。
【００１３】
このとき、前記蓋部材は、前記容器部材に連結されている。このため、前記容器部材に連結された前記蓋部材を、前記開閉ヒンジ部を中心に回動することで、前記容器部材の開口部が前記蓋部材で閉鎖される。
【００１５】
また、前記容器部材の各収容部に収容された収容物を取り出す際には、前記蓋部材の蓋を開放操作することによって、当該蓋で閉鎖された収容部のみを開放する。
【００１６】
このとき、この蓋の開放操作方向と前記蓋部材の開放操作方向とは、異なる方向に設定されている。このため、前記蓋の開放操作方向と前記蓋部材の開放操作方向とが同方向に設定された場合のように、前記蓋を開放操作する際の操作力が前記蓋部材を開放する操作力として作用してしまうといった不具合が防止される。
【００１８】
さらに、前記各蓋を支持する支持ヒンジ部による回動軸の延在方向と、前記開閉ヒンジ部による回動軸の延在方向とを異なる方向に設定することで、ヒンジ構造で開閉される前記各蓋の開放操作方向と前記蓋部材の開放操作方向とが異なる方向に設定される。
【００１９】
また、請求項２の収容ケースにあっては、前記蓋部材と前記容器部材とを一体形成するとともに、前記蓋部材と前記容器部材との間に、薄肉の連結ヒンジ部を形成した。
【００２０】
すなわち、前記蓋部材と前記容器部材が一体形成されており、両部材間には、薄肉の連結開閉ヒンジ部が形成されている。
【００２１】
このため、前記蓋部材と前記容器部材を一つの金型で形成することができる。この際、前記金型によって、両部材間に薄肉部を形成することで、前記連結ヒンジ部が一体形成される。
【発明の効果】
【００２２】
以上説明したように本発明の請求項１の収容ケースにあっては、容器部材の開口部を閉鎖する蓋部材が前記容器部材に連結されており、前記容器部材に連結された前記蓋部材を、前記開閉ヒンジ部を中心に回動することで、前記容器部材の開口部を前記蓋部材で閉鎖することができる。
【００２３】
このため、蓋部材を取り外して容器部材の開口部を開放する従来と比較して、容器部材から取り外された蓋部材を容器部材に位置合わせしながら容器部材に取り付けるといった手間が不要となり、利便性が向上する。
【００２４】
また、前記収容部を閉鎖した前記蓋の開放操作方向と前記蓋部材の開放操作方向とが異なる方向に設定されている。
【００２５】
このため、前記蓋の開放操作方向と前記蓋部材の開放操作方向とが同方向に設定された場合と比較して、前記蓋を開放操作する際の操作力が前記蓋部材を開放する操作力として作用するといったことがない。
【００２６】
したがって、前記蓋を操作して収容部を個別に開放する際に、前記蓋部材全体が開放され、総ての収容部を開放してしまうといった不具合を解消することができる。
【００２７】
さらに、前記各蓋の開閉構造を、ヒンジ構造で実現することができる。
【００２８】
そして、前記各蓋を支持する支持ヒンジ部による回動軸の延在方向と、前記開閉ヒンジ部による回動軸の延在方向とを異なる方向に設定することで、ヒンジ構造で開閉される前記各蓋の開放操作方向と前記蓋部材の開放操作方向とを異なる方向に設定することができる。
【００２９】
加えて、請求項２の収容ケースにあっては、前記蓋部材と前記容器部材が一体形成されており、両部材間には、薄肉の連結ヒンジ部が形成されている。
【００３０】
このため、前記蓋部材と前記容器部材を一つの金型で形成することができる。この際、前記金型によって、両部材間に薄肉部を形成することで、前記連結ヒンジ部を一体形成することができる。
【発明を実施するための最良の形態】
【００３１】
（第１の実施の形態）
【００３２】
以下、本発明の第１の実施の形態を図に従って説明する。図１は、本実施の形態にかかる収容ケース１を示す図であり、収容物としての薬を分別して収容するものである。
【００３３】
この収容ケース１は、不透明な樹脂製の容器部材１１を備えており、該容器部材１１は、図２にも示すように、第１容器部１２と第２容器部１３とによって構成されている。両容器部１２，１３は、図３にも示すように、横長の矩形容器状に形成されており、同形状に形成されている。前記両容器部１２，１３は、長辺を構成する一側面１４，１４の上縁が三つのヒンジ１５，・・・で接続されており、両容器部１２，１３の開口部を合わせた状態で折り畳めるように構成されている。
【００３４】
前記第１容器部１２には、図１から図３に示したように、前記ヒンジ１５，・・・と逆側の他側面２１に、一対の係止片２２，２２が傾倒自在に設けられており、各係止片２２，２２には、横長の係止穴２３，２３が設けられている。また、前記第２容器部１３には、前記ヒンジ１５，・・・と逆側の他側面２１に、横長の係合部２４，２４が一対突設されており、図２に示した折り畳み状態において、前記第１容器部１２に設けられた前記係止片２２，２２を前記第２容器部１３側へ傾倒した際に、前記各係合部２４，２４が対応する前記係止片２２，２２の係止穴２３，２３と係合するように構成されている。
【００３５】
前記両容器部１２，１３の長さ方向一端部には、図３に示したように、各容器部１２，１３の一端面３１，３１と対向する区画壁３２，３２が突設されており、該区画壁３２，３２と前記一端面３１，３１との間には、被連結部３３，３３が形成されている。各被連結部３３，３３には、図３及び図４に示すように、円筒状の外嵌部３４，・・・が三カ所に突設されており、当該被連結部３３，３３より他端部側には、収容空間３５，３５が形成されている。
【００３６】
この収容空間３５，３５には、図３及び図５に示しように、前記区画壁３２と該区画壁３２が対向する他端面４１，４１との間に横仕切４２が延設されており、該横仕切４２は、前記一側面１４と前記他側面２１との中間部に配置されている。また、前記収容空間３５，３５には、図３に示したように、前記横仕切４２を介して前記一側面１４と前記他側面２１と連設する六つの縦仕切４３，・・・が等間隔をおいて設けられており、前記横仕切４２，４２の一方側及び他方側には、前記各縦仕切４３，・・・によって区画された七つの収容部４４，・・・が形成されている。これにより、並設された各収容部４４，・・・のそれぞれに薬を収容することによって、月曜から日曜までの一週間分の薬を横一列に収容できるように構成されている。
【００３７】
そして、前記各容器部１２，１３の前記他端面４１，４１の中央部には、内側に後退した後退部５１，５１が設けられており、該後退部５１，５１には、係合凸部５２，５２が突設されている。
【００３８】
また、前記各容器部１２，１３には、図６に示すような透明樹脂製の蓋部材６１が取り付けられるように構成されている（一つの蓋部材６１のみ図示）。この蓋部材６１は、前記各容器部１２，１３に取り付けられた状態で、各容器部１２，１３の上面開口部を覆う大きさに形成されており、その一端部には、前記容器部１２，１３の前記被連結部３３，３３に連結される連結部６２が形成されている。
【００３９】
この連結部６２は、前記被連結部３３に対応する形状に形成されており、当該連結部６２の下面には、図４に示したように、前記容器部１２，１３に設けられた前記外嵌部３４に内嵌する円筒状の内嵌部７１が三カ所に突設されている。また、この連結部６２の他端側には、対を成す挟持片７２，７２が突設されており、当該連結部６２を前記被連結部３３に取り付けた状態で、前記両挟持片７２，７２が前記容器部１２，１３に突設された区画壁３２を挟持した状態で位置決めされるように構成されている。
【００４０】
これにより、当該蓋部材６１の前記連結部６２に設けられた前記内嵌部７１，・・・を前記容器部１２，１３に設けられた前記外嵌部３４，・・・に内嵌するとともに、前記両挟持片７２，７２で前記容器部１２，１３に突設された前記区画壁３２を挟持した状態で、当該蓋部材６１を前記容器部材１１の前記容器部１２，１３に連結した状態で取り付けられるように構成されている。
【００４１】
前記挟持片７２，７２より他端部側には、図４に示したように、薄肉化されてなるＰＰヒンジが延設されており、このＰＰヒンジによって当該収容ケース１の短辺に沿って延在する開閉ヒンジ部８１が形成されている。これにより、図４及び図６に示すように、この開閉ヒンジ部８１より他端側が構成する蓋領域８２を前記開閉ヒンジ部８１を回動中心軸として回動することで、前記蓋領域８２が前記容器部材１１の前記収容空間３５，３５の上面開口部を閉鎖した状態と開放した状態とを形成できるように構成されている。
【００４２】
前記開閉ヒンジ部８１より他端側に設定された前記蓋領域８２には、図６に示したように、中央部に中央固定部９１が前記開閉ヒンジ部８１から他端部に渡って延設されており、この中央固定部９１の下面両脇には、図５に示したように、薄肉化されてなるＰＰヒンジが前記中央固定部９１に沿って延設されている。これにより、当該蓋部材６１の前記蓋領域８２には、図５及び図６に示したように、当該収容ケース１の長辺に沿って延在する支持ヒンジ部９２，９２が、中央固定部９１に沿って延在する前記ＰＰヒンジによって形成されている。
【００４３】
また、前記中央固定部９１の下面には、図５に示したように、一対のガイド板１０１，１０１が対向して設けられており、両ガイド板１０１，１０１は、当該蓋領域８２で前記容器部１２，１３の前記収容空間３５の上面開口部を覆った状態で、該収容空間３５に突設された前記横仕切４２を挟持するように構成されている。これにより、前記ガイド板１０１，１０１が前記横仕切４２を挟持することによって、前記蓋領域８２の固定位置をガイドするとともに、当該蓋領域８２を前記収容空間３５上に位置決めできるように構成されている。
【００４４】
また、前記蓋領域８２の他端部中央には、図６に示したように、内側に後退した後退部１１１が形成されているが、前記中央固定部９１は、その先端が前記後退部１１１より突出するように構成されている。該後退部１１１より突出した前記中央固定部９１の先端には、下面側に延出する延出片１１２が形成されており、該延出片１１２の先端には、係合爪１１３が突設されている。これにより、前記延出片１１２を前記容器部１２，１３の後退部５１に合致させた状態で、前記延出片１１２に設けられた前記係合爪１１３が前記容器部１２，１３の後退部５１に設けられた係合凸部５２を乗り越えて係合するように構成されており、当該蓋部材６１の自由端部を前記容器部１２，１３に拘束できるように構成されている。
【００４５】
そして、前記蓋領域８２には、前記中央固定部９１から一側縁１２１へ向けて延在する七本のスリット１２２，・・・が等間隔をおいて設けられており、前記中央固定部９１から他側縁１２３へ向けても七本のスリット１２４，・・・が等間隔をおいて設けられている。各スリット１２２，・・・１２４，・・・は、当該蓋部材６１を前記容器部材１１に取り付けた状態で、各容器部１２，１３の縦仕切４３，・・・上に延在するように配置されており、各スリット１２２，・・・１２４，・・・間には、前記容器部１２，１３の各縦仕切４３，・・・間に設けられた前記各収容部４４，・・・の上面開口部を個別に開閉する内蓋１２５，・・・が形成されている。
【００４６】
各内蓋１２５，・・・には、下面側に後退したＵ字状の凹部１３１，・・・が形成されており、該凹部１３１，・・・に指を入れることによって、各内蓋１２５，・・・の自由端部を、前記支持ヒンジ部９２，９２を回動中心として、上方へ引き上げられるように構成されている。
【００４７】
このとき、前記支持ヒンジ部９２，９２が形成する前記内蓋１２５，・・・の回動軸は、前記開閉ヒンジ部８１が形成する前記蓋部材６１における蓋領域８２の回動軸と直交する方向に延設されており、前記各内蓋１２５，・・・の自由端部の開放操作方向と、前記蓋部材６１の蓋領域８２における自由端部の開放操作方向とが異なる方向に設定されている。
【００４８】
以上の構成にかかる本実施の形態において、前記容器部材１１に設けられた各収容部４４，・・・へ薬等の収容物を収容する際には、前記容器部材１１に連結された蓋部材６１の蓋領域８２を開閉ヒンジ部８１を中心に回動し、前記容器部材１１の各容器部１２，１３の上面開口部を開放する。これにより、各仕切４２，４３，・・・で区画された各容器部１２，１３内の総ての収容部４４，・・・を同時に開放することができ、各収容部４４，・・・への収容物の収容を容易に行うことができる。
【００４９】
そして、各収容部４４，・・・への収容物の収納を終えた際には、前記各容器部１２，１３の上面開口部を前記蓋部材６１の蓋領域８２によって閉鎖する。
【００５０】
このとき、前記蓋部材６１は、前記容器部材１１の各容器部１２，１３に連結されている。このため、前記各容器部１２，１３に連結された前記蓋部材６１の蓋領域８２を、前記開閉ヒンジ部８１を中心に回動することで、前記各容器部１２，１３の上面開口部を前記蓋部材６１の蓋領域８２で閉鎖することができる。
【００５１】
このため、蓋部材６１を取り外して容器部材１１の上面開口部を開放する従来と比較して、前記容器部材１１から取り外された蓋部材６１を容器部材１１に位置合わせしながら当該容器部材１１に取り付けるといった手間が不要となり、利便性が向上する。
【００５２】
そして、前記容器部材１１の各収容部４４，・・・に収容された収容物を取り出す際には、前記蓋部材６１に設けられた内蓋１２５を開放操作することによって、当該内蓋１２５で閉鎖された収容部４４のみを独立して開放する。
【００５３】
このとき、この内蓋１２５の開放操作方向と前記蓋部材６１の蓋領域８２の開放操作方向とは、異なる方向に設定されている。このため、前記内蓋１２５の開放操作方向と前記蓋領域８２の開放操作方向とが同方向に設定された場合と比較して、前記内蓋１２５を開放操作する際の操作力が前記蓋領域８２を開放する操作力として作用するといったことがない。
【００５４】
したがって、前記内蓋１２５を操作して収容部４４を個別に開放する際に、前記蓋部材６１の蓋領域８２全体が開放され、総ての収容部４４，・・・を開放してしまうといった不具合を未然に解消することができる。
【００５５】
また、本実施の形態にあっては、前記蓋部材６１に薄肉化されてなるＰＰヒンジを形成することによって、前記各内蓋１２５，・・・の開閉構造をヒンジ構造で実現することができる。
【００５６】
そして、前記各内蓋１２５，・・・を支持する支持ヒンジ部９２，９２による回動軸の延在方向と、前記開閉ヒンジ部８１による回動軸の延在方向とを異なる方向に設定することで、ヒンジ構造で開閉される前記各内蓋１２５，・・・の開放操作方向と前記蓋部材６１の蓋領域８２における開放操作方向とを異なる方向に設定することができる。
【００５７】
（第２の実施の形態）
【００５８】
図７は、本発明の第２の実施の形態を示す図であり、第１の実施の形態と同一又は同等部分に付いては、同符号を付して説明を割愛し、異なる部分についてのみ説明する。
【００５９】
すなわち、前記容器部材１１の容器部１２，１３と前記蓋部材６１とは、同一の金型によって一体形成されており、前記容器部材１１の各容器部１２，１３の一端面３１の上縁と前記蓋部材６１の一端部とは、連結片２０１によって一体的に連結されている。この連結片２０１の下面には、薄肉化されてなるＰＰヒンジが形成されており、当該連結片２０１には、前記両部材６１，１１に沿って延在する連結ヒンジ部２０２が形成されている。
【００６０】
以上の構成においても、第１の実施の形態と同様の効果を得ることができる。
【００６１】
これに加えて、前記蓋部材６１と前記容器部材１１とを一つの金型で形成することができ、低コスト化を図ることができる。
【００６２】
この際、前記金型によって、両部材１１，６１間に薄肉のＰＰヒンジを形成することで、前記連結ヒンジ部２０２を一体形成することができる。
【００６３】
なお、実施の形態においては各内蓋１２５を支持ヒンジ部９２により、各収容部の上面開口部を開閉自在にし、また、蓋部材６１を開閉ヒンジ部８１により容器本体の開口部を開閉可能にしたが、ヒンジに限られることなく、例えば蝶番、枢着、軸着等により各内蓋又は蓋部材を収容部又は容器本体の開口部と開閉可能にしてもよい。
【図面の簡単な説明】
【００６４】
【図１】本発明の第１の実施の形態を示す平面図である。
【図２】同実施の形態の側面図である。
【図３】同実施の形態の各容器部を開放した状態を示す平面図である。
【図４】図１のＡ−Ａ線に相当する断面図である。
【図５】図１のＢ−Ｂ線に相当する断面図である。
【図６】同実施の形態の蓋部材を示す平面図である。
【図７】本発明の第２の実施の形態を示す要部の断面図である。
【符号の説明】
【００６５】
１    収容ケース
１１    容器部材
１２    第１容器部
１３    第２容器部
３３    被連結部
４２    横仕切
４３    縦仕切
４４    収容部
６１    蓋部材
６２    連結部
８１    開閉ヒンジ部
９２    支持ヒンジ部
１２５    内蓋
２０２    連結ヒンジ部
【図１】
0004823766.tif 000002
【図２】
0004823766.tif 000003
【図３】
0004823766.tif 000004
【図４】
0004823766.tif 000005
【図５】
0004823766.tif 000006
【図６】
0004823766.tif 000007
【図７】
0004823766.tif 000008